(57)【特許請求の範囲】
【請求項１】
撮影光学系を介して銀塩フィルムに被写体像を記録するための撮影動作を制御する撮影動作制御手段と、
前記撮影光学系を介して撮像素子に形成される被写体像に応じた画像信号を光電変換により発生させる撮像動作を制御する撮像動作制御手段と、
前記銀塩フィルムの露光面の位置をフィルム用裏蓋に備えられた圧板により規定する露光面規定手段とを備え、
前記撮影光学系の後方に前記撮像素子を配置するための撮像素子収容領域が形成され、
前記フィルム用裏蓋をカメラ本体に装着した時、前記露光面規定手段が前記銀塩フィルムの露光面の位置を規定することによって、前記銀塩フィルムの露光面の位置が前記撮影光学系による被写体像の結像面の位置と一致し、また、前記フィルム用裏蓋を前記カメラ本体から取り外して前記撮像素子を前記撮像素子収容領域に配置することによって、前記撮像素子の受光面の位置が前記被写体像の結像面の位置と一致し、
前記銀塩フィルムの記録領域より大きい寸法を有してその内部に受光面を有するフィルム記録領域保有撮像素子に対し、その表面位置を前記結像面の位置よりも前方に出すことが可能となるように、前記撮像素子収容領域が形成されており、
前記圧板が、前記フィルム用裏蓋を前記カメラ本体に装着した時に前記圧板の表面が前記撮像素子収容領域内において前記銀塩フィルムの露光面の位置よりも前記銀塩フィルムの厚さ分だけ後方に位置決めされるように、前記フィルム用裏蓋の内側に取り付けられ、
前記露光面規定手段が、前記銀塩フィルムの装着状態で前記フィルム用裏蓋を前記カメラ本体に装着させた時に位置決めされた前記圧板に向けて前記銀塩フィルムの裏面を圧接させることを特徴とするカメラ。
【請求項２】
撮像素子が内側に取り付けられた撮像用裏蓋と、圧板が内側に取り付けられたフィルム用裏蓋とが選択的に装着されるカメラ本体と、
前記銀塩フィルムの露光面の位置を規定する露光面規定手段とを備え、
撮影光学系の後方に前記撮像素子を配置するための撮像素子収容領域が形成され、
前記フィルム用裏蓋をカメラ本体に装着した時、前記露光面規定手段が前記銀塩フィルムの露光面の位置を規定することによって、前記銀塩フィルムの露光面の位置が前記撮影光学系による被写体像の結像面の位置と一致し、
前記撮像用裏蓋を前記カメラ本体に装着した時に前記撮像素子の受光面の位置が前記被写体像の結像面の位置と一致するように、前記撮像素子が前記撮像用裏蓋に取り付けられ、
前記銀塩フィルムの記録領域より大きい寸法を有してその内部に受光面を有するフィルム記録領域保有撮像素子に対し、その表面位置を前記結像面位置よりも光軸に沿って前方に出すことが可能となるように、前記撮像素子収容領域が形成されており、
前記圧板が、前記フィルム用裏蓋を前記カメラ本体に装着した時に前記圧板の表面が前記撮像素子収容領域内において前記銀塩フィルムの露光面の位置よりも前記銀塩フィルムの厚さ分だけ後方に位置決めされるように、前記フィルム用裏蓋の内側に取り付けられ、
前記露光面規定手段が、前記銀塩フィルムの装着状態で前記フィルム用裏蓋を前記カメラ本体に装着させた時、位置決めされた前記圧板に向けて前記銀塩フィルムの裏面を圧接させることを特徴とするカメラ。
【請求項３】
前記圧板が、前記圧板の表面に形成され、前記銀塩フィルムの給送通路を規定する一対のガイド部材を有することを特徴とする請求項１乃至請求項２のいずれかに記載のカメラ。
【請求項４】
前記露光面規定手段が、前記銀塩フィルムの記録領域を遮らないように前記圧板の両側に２つのスプロケットを有し、前記銀塩フィルムを前記スプロケットと係合させることにより、前記銀塩フィルムを前記圧板に圧接させることを特徴とする請求項１乃至請求項２のいずれかに記載のカメラ。
【請求項５】
前記スプロケットが、前記銀塩フィルムの露光面側から前記銀塩フィルムと係合し、その係合部分の位置が、前記圧板の表面の位置よりも後方にあることを特徴とする請求項４に記載のカメラ。
【請求項６】
前記撮像素子が撮像用裏蓋に備えられ、かつ、前記撮像用裏蓋を前記カメラ本体に装着した時に前記撮像素子の表面の位置が前記銀塩フィルムの露光面の位置と一致するように、前記撮像用裏蓋の内側に取り付けられることを特徴とする請求項１に記載のカメラ。
【請求項７】
表面に銀塩フィルムの給送通路を規定する一対のガイド部材を有する圧板が内側に取り付けられたフィルム用裏蓋と、
撮像素子が内側に取り付けられた撮像用裏蓋と、
撮影光学系の後方に前記撮像素子を配置するための撮像素子収容領域が形成され、前記フィルム用裏蓋と前記撮像用裏蓋とが選択的に装着されるカメラ本体と、
前記銀塩フィルムの記録領域を遮らないように前記圧板の両側に設けられた２つのスプロケットとを備え、
前記スプロケットが、前記銀塩フィルムの露光面側から前記銀塩フィルムと係合するとともにその係合部分の位置が前記圧板の表面の位置よりも後方にあるように、前記カメラ本体内に配置され、
前記銀塩フィルムの記録領域より大きい寸法を有してその内部に受光面を有するフィルム記録領域保有撮像素子に対し、その表面位置を前記結像面位置よりも前方に出すことが可能となるように、前記撮像素子収容領域が形成されており、
前記フィルム用裏蓋をカメラ本体に装着した時、前記圧板が前記銀塩フィルムの露光面の位置を規定することによって、前記銀塩フィルムの露光面の位置が前記撮影光学系による被写体像の結像面の位置と一致し、
前記撮像用裏蓋を前記カメラ本体に装着した時に前記撮像素子の受光面の位置が前記被写体像の結像面の位置と一致するように、前記撮像素子が前記撮像用裏蓋に取り付けられていることを特徴とするカメラ。
【請求項８】
撮影光学系の後方に撮像素子を配置するための撮像素子収容領域が形成され、
表面に銀塩フィルムの給送通路を規定する一対のガイド部材を有する圧板が内側に取り付けられたフィルム用裏蓋と、前記撮像素子が内側に取り付けられた撮像用裏蓋とが選択的に装着されるカメラ本体であって、
前記銀塩フィルムの記録領域を遮らないように前記圧板の両側に設けられた２つのスプロケットを備え、
前記スプロケットが、前記銀塩フィルムの露光面側から前記銀塩フィルムと係合するとともにその係合部分の位置が前記圧板の表面の位置よりも後方にあるように、前記カメラ本体内に配置され、
前記銀塩フィルムの記録領域より大きい寸法を有してその内部に受光面を有するフィルム記録領域保有撮像素子に対し、その表面位置を前記結像面位置よりも前方に出すことが可能となるように、前記撮像素子収容領域が形成されており、
前記フィルム用裏蓋を装着した時、前記圧板が前記銀塩フィルムの露光面の位置を規定することによって、前記銀塩フィルムの露光面の位置が前記撮影光学系による被写体像の結像面の位置と一致し、
前記撮像用裏蓋を装着した時に前記撮像素子の受光面の位置が前記被写体像の結像面の位置と一致するように、前記撮像素子が前記撮像用裏蓋に取り付けられていることを特徴とするカメラ本体。
【請求項９】
撮影光学系を介して銀塩フィルムに被写体像を記録するための撮影動作を制御する撮影動作制御手段と、
前記撮影光学系を介して撮像素子に形成される被写体像に応じた画像信号を光電変換により発生させる撮像動作を制御する撮像動作制御手段と、
前記銀塩フィルムの露光面の位置をフィルム用裏蓋に備えられた圧板により規定する露光面規定手段とを備え、
前記撮影光学系の後方に前記撮像素子を配置するための撮像素子収容領域が形成され、
前記露光面規定手段により前記銀塩フィルムの露光面の位置を規定することによって、前記銀塩フィルムの露光面の位置が前記撮影光学系による被写体像の結像面の位置と一致し、また、前記撮像素子を前記撮像素子収容領域に配置することによって、前記撮像素子の受光面の位置が前記被写体像の結像面の位置と一致し、
前記露光面規定手段が、前記銀塩フィルムの記録領域を遮らないように前記圧板の両側に２つのスプロケットを有し、前記フィルム用裏蓋を装着したときに前記圧板の表面が前記儀に塩フィルムの露光面の位置よりも前記銀塩フィルムの厚さ分だけ後方に配置され、前記銀塩フィルムを前記スプロケットと係合させることにより、前記銀塩フィルムを前記圧板に圧接させて前記銀塩フィルムの露光面の位置を規定することを特徴とすることを特徴とするカメラ。
【請求項１０】
撮影光学系を介して銀塩フィルムに被写体を記録するための撮影動作を制御する撮影動作制御手段と、
前記撮影光学系を介して撮像素子に形成される被写体像に応じた画像信号を光電変換により発生される撮像動作を制御する撮像動作制御手段と、
前記銀塩フィルムの露光面の位置をフィルム用裏蓋に備えられた圧板により規定する露光面規定手段とを備え、
前記撮影光学系の後方に前記撮像素子を配置するための撮像素子収容領域が形成され、
前記撮影光学系を通った光を前記銀塩フィルムの記録領域のみ通すアパーチャーが形成される枠部材が前記銀塩フィルムの結像面の位置を含む前記撮像素子収容領域に設けられず、
前記露光面規定手段が、前記フィルム用裏蓋をカメラ本体に装着した時、前記銀塩フィルムの裏面を前記圧板に向けて圧接することにより前記銀塩フィルムの露光面の位置を規定して、前記銀塩フィルムの露光面の位置を前記撮影光学系による被写体像の結像面の位置と一致させ、
前記フィルム用裏蓋を前記カメラ本体から取り外して前記撮像素子を前記撮像素子収容領域に配置することによって、前記撮像素子の受光面の位置が前記被写体像の結像面の位置と一致することを特徴とするカメラ。
【発明の詳細な説明】
【０００１】
【発明の属する技術分野】
本発明は、銀塩フィルムに被写体像を記録するとともに、同じ被写体像を画像データとしてメモリに記録することもできる銀塩デジタルスチル両用カメラに関し、特に、銀塩フィルムとメモリのいずれか一方に被写体像を選択的に記録することができる一眼レフ型の銀塩デジタルスチル両用カメラに関する。
【０００２】
【従来の技術】
従来、銀塩フィルムに画像を記録するか、もしくはＣＣＤなど撮像素子により画像を撮像してメモリに記録することができる一眼レフ型の銀塩デジタルスチル両用カメラが知られている。このような一眼レフカメラでは、２つの裏蓋が用意されており、銀塩フィルムに画像を記録する場合には、フィルム用圧板を備えた裏蓋が使用され、画像を撮像する場合には、撮像素子が備えられた裏蓋が使用される。
【０００３】
フィルム用圧板を備えた裏蓋をカメラに装着すると、カメラ本体内に設けられたフィルムガイド部材により銀塩フィルムの露光面の位置が規定され、この露光面の位置が被写体像の結像面の位置となる。一方、撮像素子が内側に備えられた裏蓋をカメラに装着すると、撮像素子が銀塩フィルムの露光面の位置に配置される。これにより、レンズを通った被写体像は、撮像素子において結像され、画像データとしてメモリに記録される。
【０００４】
【発明が解決しようとする課題】
ところが、撮像素子は一般的に銀塩フィルムに比べて厚みがあり、撮像素子の受光面は表面上ではなく内部に位置する。したがって、裏蓋を閉めた時の撮像素子の受光面の位置は、銀塩フィルムの露光面に一致しない。すなわち、撮像素子の受光面の位置は、被写体像の結像面の位置と一致しない。このような撮像素子の配置で被写体を撮像すると、焦点の合わない不鮮明な被写体像がメモリに記録されてしまう。
【０００５】
本発明は、銀塩フィルムの露光面および撮像素子の受光面の位置と被写体像の結像面の位置を容易に一致させることができる一眼レフ型の銀塩デジタルスチル両用カメラを得ることを目的とする。
【０００６】
【課題を解決するための手段】
本発明のカメラの露光面および受光面調整機構は、撮影光学系を介して銀塩フィルムに被写体像を記録するための撮影動作を制御する撮影動作制御手段と、
撮影光学系を介して撮像素子に形成される被写体像に応じた画像信号を光電変換により発生させる撮像動作を制御する撮像動作制御手段と、銀塩フィルムの露光面の位置をフィルム用裏蓋に備えられた圧板により規定する露光面規定手段とを備え、撮影光学系の後方に前記撮像素子を配置するための撮像素子収容領域が形成され、露光面規定手段により銀塩フィルムの露光面の位置を規定することによって、銀塩フィルムの露光面の位置が撮影光学系による被写体像の結像面の位置と一致し、また、撮像素子を撮像素子収容領域に配置することによって、撮像素子の受光面の位置が被写体像の結像面の位置と一致することを特徴とする。
【０００７】
圧板は、フィルム用裏蓋をカメラ本体に装着した時に圧板の表面が銀塩フィルムの露光面の位置よりも銀塩フィルムの厚さ分だけ後方に配置されるように、フィルム用裏蓋の内側に備えられることが望ましい。
【０００８】
露光面規定手段が、フィルム用裏蓋をカメラ本体に装着させた時に銀塩フィルムの裏面を圧板に圧接させることにより、銀塩フィルムの露光面の位置を規定することが望ましい。
【０００９】
露光面規定手段は、銀塩フィルムの記録領域を遮らないように圧板の両側に２つのスプロケットを設け、銀塩フィルムをスプロケットと係合させることにより、銀塩フィルムを圧板に圧接させることが望ましい。
【００１０】
スプロケットは、銀塩フィルムの露光面側から銀塩フィルムと係合し、その係合部分の位置は、圧板の表面の位置よりも後方にあることが望ましい。これにより、銀塩フィルムが圧板に圧接される。
【００１１】
撮像素子は、カメラの裏蓋に備えられ、かつ、撮像素子が備えられた撮像用裏蓋をカメラ本体に装着した時に撮像素子の表面の位置が被写体像の結像面の位置と一致するように、裏蓋の内側に取り付けられることが望ましい。
【００１２】
撮像用裏蓋をカメラ本体に装着することによって、撮影動作制御手段による被写体の撮像が可能な状態になることが望ましい。そして、撮像動作制御手段により撮像素子の受光面において結像された被写体像は、メモリに画像データとして記録されることが望ましい。
【００１３】
撮像素子は、銀塩フィルムに比べて厚みがあり、撮像素子の受光面が撮像素子の内部に位置することが望ましい。また、撮像素子の画像形成領域は、銀塩フィルムの記録領域と同じであり、撮像素子の寸法は、その記録領域よりも大きいことが望ましい。
【００１４】
【発明の実施の形態】
以下、図面を参照して本発明の実施形態である一眼レフ型の銀塩デジタルスチル両用カメラについて説明する。
【００１５】
図１は、銀塩デジタルスチル両用カメラの主要な内部構成を示した図である。この一眼レフ型カメラでは、銀塩フィルムに画像を記録する場合に適用される裏蓋と、ＣＣＤなど撮像素子により画像を撮像する場合に適用される裏蓋が、別々に用意される。図１では、銀塩フィルムへの画像記録用の裏蓋が、カメラ本体に取り付けられている。
【００１６】
撮影光学系１１は複数のレンズ（図示せず）および絞り（図示せず）により構成され、カメラ本体１０に着脱可能である。カメラ本体１０には、フィルム用裏蓋Ｕ１が取り付けられており、フィルム用裏蓋Ｕ１の内側には、銀塩フィルムＦを圧接するための圧板１９が設けられている。図１では、撮影光学系１１の光軸Ｅが一点鎖線で示してあり、光軸Ｅに沿ってフィルム用裏蓋Ｕ１側を後方、撮影光学系１１側を前方とする。
【００１７】
カメラ本体１０内には、光軸Ｅの経路を選択的に変更させるクイックリターンミラー１２が設けられており、撮影光学系１１の後方に配置される。クイックリターンミラー１２は、傾斜した位置（以下、ダウン位置という）から、２点鎖線で示した水平位置（以下、アップ位置という）の範囲において、回動することができる。シャッタ１７が作動しない間（銀塩フィルムＦが露光されない間）、クイックリターンミラー１２はダウン位置に置かれるが、シャッタ１７が作動する場合、クイックリターンミラー１２はダウン位置からアップ位置まで回転させられ（跳ね上げられ）、所定時間だけアップ位置の状態で止められる。
【００１８】
撮影動作が実行されない場合、被写体Ｍにより反射した光は、撮影光学系１１を通って収束し、クイックリターンミラー１２によりピント板１３の方向に導かれる。すなわち、撮影光学系１１により形成された被写体像は、クイックリターンミラー１２の上方に設けられたピント板１３に結像され、ペンタプリズム１４、ファインダ１５を介して撮影者によって観察される。このとき、観察される被写体像のピントは、銀塩フィルムＦの露光面における被写体像のピントに対応しており、観察される被写体像が合焦している場合、鮮明な被写体像が銀塩フィルムＦに記録される。
【００１９】
クイックリターンミラー１２の光軸Ｅに沿った後方には、シャッタ１７が配置されている。このシャッタ１７は、先幕、後幕が連動して上下方向に移動する、いわゆるフォーカルプレーンシャッタである。シャッタ１７の後方には、銀塩フィルムＦの露光面の位置Ｒを規定する圧板１９がフィルム用裏蓋Ｕ１に取り付けられている。この圧板１９により規定される銀塩フィルムＦの露光面の位置Ｒに、撮影光学系１１による被写体像の結像面の位置が定められる。
【００２０】
カメラ本体１０の横方向（左右方向）に沿った圧板１９の両側には、銀塩フィルムＦの給送を案内するためのスプロケット（図示せず）が１つずつ配置されており、銀塩フィルムＦとスプロケットが係合することによって、銀塩フィルムＦが裏蓋Ｕ１の内側に備えられた圧板１９に圧接される。
【００２１】
なお、フィルム用裏蓋Ｕ１の一端は、カメラ本体１０に枢着され、これによりフィルム用裏蓋Ｕ１が開閉可能となる。
【００２２】
カメラ本体１０の上部には、レリーズスイッチ（図示せず）が設けられており、レリーズスイッチが全押しされると、クイックリターンミラー１２はアップ位置まで移動し、この移動に連動してシャッタ１７が所定時間開放させられる。これにより、撮影光学系１１により形成された被写体像は、銀塩フィルムＦの露光面において結像される。
【００２３】
銀塩フィルムＦはロール状になってパトローネ（図示せず）に収納され、パトローネはカメラ本体１０内の一方の片側位置に設けられたパトローネ室（図示せず）に格納される。パトローネから引き出された銀塩フィルムＦは、圧板１９の両側に配置されたスプロケットおよび一対のガイド片１９ａにより規定される銀塩フィルムＦの移動通路を通り、カメラ本体１０内のもう一方の片側位置に設けられた巻取りスプール（図示せず）に巻取られる。銀塩フィルムＦが収容されたパトローネがカメラ本体１０内に装填され、撮影動作が順次実行されると、銀塩フィルムＦは２つのスプロケットおよび一対のガイド片１９ａにより案内されながら給送され、巻取りスプールによって順次巻き取られる。
【００２４】
クイックリターンミラー１２の下方には、自動焦点調節のために用いられるＡＦ（自動焦点）ユニット３０が配置されており、ＡＦユニット３０には、光学レンズ３１および３２と、ミラー３３、そして受光素子が並べられたライセンサ３４が設けられている。クイックリターンミラー１２の背面には、サブミラー１６が設けられており、ハーフミラーの性質を有するクイックリターンミラー１２がダウン位置にある場合、撮影光学系１１を通過した光はサブミラー１６において反射し、ＡＦユニット３０のある下方へ導かれる。そして、ＡＦユニット３０に入った光は、光学レンズ３１、３２により集光され、ミラー３３を介してライセンサ３４の受光面に導かれる。これにより、被写体Ｍとカメラ本体１０との距離が測定され、焦点距離が調整される。このような自動焦点調節は、レリーズスイッチが半押し状態になることで実行される。
【００２５】
なお、レリーズスイッチが半押し状態となると、ファインダ１５内に設けられた測光用受光素子（図示せず）により被写体Ｍの明るさが計測され、これにより銀塩フィルムＦに対する適正露光量が定められる。
【００２６】
図２は、フィルム用裏蓋Ｕ１を上から見た図である。また、図３は、圧板１９を横から見た図である。
【００２７】
フィルム用裏蓋Ｕ１の内側には、圧板１９が取り付けられており、圧板１９の表面１９ｓには、銀塩フィルムＦの露光面の位置Ｒを規定するための一対のガイド片１９ａ（図３参照）が銀塩フィルムＦの高さに対応するように形成されている。この圧板１９は、銀塩フィルムＦを圧板１９に圧接させた時に銀塩フィルムＦの露光面の位置Ｒが被写体像の結像面の位置と一致するようにフィルム用裏蓋Ｕ１に取り付けられており、圧板１９の表面１９ｓの位置Ｙは、図３に示すように、銀塩フィルムＦの露光面の位置Ｒより銀塩フィルムＦの厚さｄＦだけ後方にある。
【００２８】
図２に示すように、銀塩フィルムの１画面分の露光面の領域（以下、記録領域という）における横幅Ｂは、圧板１９の左右方向の長さ１９Ｅよりも小さい。本実施形態では、撮影光学系１１を通った光を銀塩フィルムＦの記録領域だけ通すためのアパ−チャ−（窓）が形成された枠部材をシャッタ１７の後方に設けていないが、シャッタ１７の前方にあるクイックリターンミラー１２が設けられた空間の光軸Ｅに垂直な平面領域が銀塩フィルムＦの記録領域と等しいため、圧板１９の表面１９ｓにおいて銀塩フィルムＦの記録領域以外に到達する光は、考慮しなくてよい。
【００２９】
図４は、銀塩フィルムＦがカメラ本体１０に装填されているときのカメラ本体１０の内部構成を上から見た図である。
【００３０】
図４に示すように、パトローネＰＴから引き出された銀塩フィルムＦは、スプロケットＳ１と係合し、ガイド片１９ａに案内される給送通路に沿うように圧板１９に圧接し、さらに、スプロケットＳ２と係合して巻取りスプールＭＴに巻き取られる。このとき、銀塩フィルムＦの裏面（露光面の反対側の面）が圧板１９と圧接する。スプロケットＳ１とスプロケットＳ２は、光軸Ｅから同じ距離だけ離れ、また、光軸Ｅを中心線として対称的な位置に配置されている。
【００３１】
銀塩フィルムＦには、銀塩フィルムＦを巻取りスプールＭＴへ給送させるためのパーフォレーション（図示せず）が上下両端に設けられており、その一端（上部側）のパーフォレーションがスプロケットＳ１に設けられた突起部Ｋ１と係合している。なお、スプロケットＳ１、Ｓ２は、カメラ本体１０側に取り付けられており、スプロケットＳ１、Ｓ２の下部には、カメラ本体１０とスプロケットＳ１、Ｓ２を繋ぐ部材（図示せず）が形成されている。
【００３２】
図５は、スプロケットＳ１の斜視図である。
【００３３】
スプロケットＳ１は、軸Ｕを中心に回転し、突起部Ｋ１が設けられた円板ＳＨの位置は、銀塩フィルムＦの上部側のパーフォレーションＰの位置に対応する。突起部Ｋ１は、円板ＳＨの円周上において９０度間隔で形成されており、円周上で位置ωにある突起部Ｋ１が、パーフォレーションＰと係合する。このとき、突起部Ｋ１は、銀塩フィルムＦの露光面側からパーフォレーションＰと係合する。
【００３４】
銀塩フィルムＦが巻き取りスプールＭＴ側に向けて給送されることによってスプロケットＳ１（突起部Ｋ１）が軸Ｕを中心に回転（図から見て反時計回り）すると、パーフォレーションＰと係合している位置ωにある突起部Ｋ１がスプロケットＳ１の回転により移動し、新たに位置ωに移動した突起部Ｋ１が銀塩フィルムＦのパーフォレーションＰと係合する。銀塩フィルムＦが給送される間（スプロケットＳ１が回転している間）、銀塩フィルムＦのパーフォレーションＰは、位置ωにある突起部Ｋ１と次々と係合し、これにより銀塩フィルムＦが次々と巻き取りスプールＭＴ側に移動する。このとき、銀塩フィルムＦは圧板１９と摺接している。
【００３５】
スプロケットＳ２は、スプロケットＳ１と同じ形状であり、突起部Ｋ２が銀塩フィルムＦのパーフォレーションＰと係合する。
【００３６】
図６は、スプロケットＳ１、Ｓ２と圧板１９との位置関係を示した図である。
【００３７】
スプロケットＳ１の突起部Ｋ１は、銀塩フィルムＦの露光面側（以下、表面側という）からパーフォレーションＰと係合するため、スプロケットＳ１は、銀塩フィルムＦの表面より前方に位置する。そして、突起部Ｋ１が銀塩フィルムＦのパーフォレーションＰと係合する係合部Λの位置Ｘは、圧板１９の表面１９ｓの位置Ｙよりも後方にある。この係合部Λの位置Ｘは、スプロケットＳ２の突起部Ｋ２とパーフォレーションＰが係合する係合部σの位置でもある。
【００３８】
銀塩フィルムＦとスプロケットＳ１、Ｓ２との係合部Λ、σの位置Ｘが圧板１９の表面１９ｓの位置Ｙよりも後方にあり、かつ、パトローネＰＴおよび巻取りスプールＭＴがスプロケットＳ１、Ｓ２の位置よりも前方に配置されているため、銀塩フィルムＦは、弛むことなくまっすぐに伸びた状態でガイド片１９ａにより規定された給送通路において圧板１９により圧接される。
【００３９】
このように、本実施形態では、アパ−チャ−が形成され、かつ銀塩フィルムＦの給送通路を規定するフィルムガイド部材をカメラ本体１０内に設けない代わりに、銀塩フィルムＦを２つのスプロケットＳ１、Ｓ２に係合させることにより、銀塩フィルムＦを圧板１９に圧接させ、これにより銀塩フィルムＦの露光面の位置Ｒを規定する。
【００４０】
図７は、フィルム用裏蓋Ｕ１をカメラ本体１０に取り付けた時に作動する主な電気的回路を示した図である。
【００４１】
システムコントロール回路４０は、内部に演算処理用のＣＰＵ（図示せず）を有しており、カメラ本体１０の全体的制御を行う。
【００４２】
システムコントロール回路４０には、電源スイッチ４９、レリーズ半押スイッチ５０、レリーズ全押スイッチ５１、フィルムバック検出回路４８が接続されている。レリーズ半押スイッチ５０とレリーズ全押スイッチ５１は、カメラ本体１０の上部に設けられたレリーズスイッチの押下状態を検出するためのスイッチであり、また、フィルムバック検出回路４８は、フィルム用裏蓋Ｕ１がカメラ本体１０に装着されたことを検出するための回路である。電源スイッチ４９がＯＮ状態となり、銀塩フィルムＦがカメラ本体１０に装填され、フィルム用裏蓋Ｕ１がカメラ本体１０に装着されると、銀塩フィルムＦに被写体Ｍの画像を記録することが可能となり、レリーズスイッチが全押しされると、撮影光学系１１を通った被写体像は、シャッタ１７の開放により銀塩フィルムＦに記録される。なお、システムコントロール回路４０には、電源回路５２が接続されている。
【００４３】
測光回路４６では、被写体Ｍの明るさが、図１に示したファインダ１５内の受光素子により検出された光量に基づいて測定される。そして、測定された明るさに基づいて適正な露光量が求められ、シャッタ１７のシャッタスピードおよび絞りＺの絞り値が定められる。測距回路４７では、被写体Ｍとカメラ本体１０との距離が、ＡＦユニット３０（図１参照）によって検出された距離データに基づいて測定される。そして、測定された距離に基づき、撮影光学系１１内に設けられたレンズが、レンズ駆動回路４２により駆動される。このような測光、測距は、レリーズ半押スイッチ５０がＯＮ状態になると実行される。
【００４４】
シャッタ１７は、シャッタ駆動回路４４により駆動され、また、絞りＺも、絞り駆動回路５３により絞られる。シャッタ１７の駆動および絞りＺの駆動は、レリーズ全押スイッチ５１がＯＮ状態になることで実行され、このとき、絞りＺは、測光に基づいて定められた絞り値に応じて駆動され、また、シャッタ１７も、測光に基づいて定められたシャッタスピードに応じて駆動される。ストロボ回路４５では、ストロボの発光制御が行われる。
【００４５】
コマ数検出回路５４では、銀塩フィルムＦのパーフォレーションを計数することによって銀塩フィルムＦの給送量が検出される。また、フィルム感度検出回路５５では、銀塩フィルムＦの感度が検出される。フィルム巻上げ巻戻し駆動回路４３では、銀塩フィルムＦの巻上げや巻戻しが制御される。
【００４６】
図８は、本実施形態で適用される撮像素子を正面から見た平面図である。また、図９は、撮像素子を横から見た図であり、部分的に撮像素子の内部を示している。図８、図９を用いて、撮像素子の受光面の位置について説明する。
【００４７】
図８では、本実施形態で適用される固体撮像素子であるＣＣＤ４１が示されており、光電変換素子が配設されたセンサ（受光面）Ｃに光が当たると、光電変換により画像信号が発生する。センサＣの画像形成領域（斜線部）Ｈは、銀塩フィルムＦの記録領域と等しくなるように形成されている。
【００４８】
一般に、ＣＣＤ４１など固体撮像素子には、センサＣを保護するため、無色透明なカバーガラスＧがセンサＣの上へ被せられる。そのため、ＣＣＤ４１の寸法は、銀塩フィルムＦの記録領域よりも大きくなる。
【００４９】
図９に示すように、ＣＣＤ４１の受光面側の表面は、センサＣを覆うカバーガラスＧにより形成されており、また、センサＣとカバーガラスＧの間には空気の層Ａが形成されている。したがって、ＣＣＤ４１の厚さＤは、カバーガラスＧおよびセンサＣの厚みと、空気の層Ａを合わせた厚さとなる。なお、ＣＣＤ４１の裏側には、回路基板にＣＣＤ４１を配設するためのピンＰＮが並んで取り付けられている。
【００５０】
このように、ＣＣＤ４１の厚さＤは、銀塩フィルムＦの厚さに比べて大きく、センサＣは、ＣＣＤ４１の撮影光学系１１側の表面ではなく、ＣＣＤ４１の内部に位置する。すなわち、ＣＣＤ４１の受光面であるセンサＣは、ＣＣＤ４１の表面から光軸に沿って後方に位置する。
【００５１】
本実施形態では、アパーチャーが形成されるフィルムガイド部材がシャッタ１７の後方に設けられていないため、ＣＣＤ４１を収容できる収容領域がシャッタ１７の後方に形成されており、ＣＣＤ４１の表面の位置を銀塩フィルムＦの露光面の位置よりも前方に出して銀塩フィルムＦの露光面の位置ＲとＣＣＤ４１のセンサＣの位置が一致するように、ＣＣＤ４１が配置される。
【００５２】
図１０は、撮像素子が備えられた裏蓋を取り付けた時のカメラの内部構成を示した図であり、撮像素子が配置されていること以外に関しては、図１に示したカメラの内部構成と同じである。
【００５３】
ＣＣＤ４１の後方には、ピンＰＮがハンダ付けされている回路基板ＣＴが設けられており、固定ねじ（図示せず）がこの回路基板ＣＴを介して撮像用裏蓋Ｕ２の内側に設けられたねじ穴（図示せず）に嵌められる。これにより、ＣＣＤ４１が撮像用裏蓋Ｕ２に固定される。
【００５４】
シャッタ１７の後方には、ＣＣＤ４１が収容できる撮像素子収容領域が形成されており、撮像用裏蓋Ｕ２がカメラ本体１０に装着されると、ＣＣＤ４１のセンサＣの位置は、銀塩フィルムＦの露光面の位置Ｒ、すなわち被写体像の結像面の位置と一致する。
【００５５】
撮像用裏蓋Ｕ２の表側には、液晶表示装置であるＬＣＤ（図示せず）が設けられており、撮像した被写体像が表示される。カメラ本体１０の上部には、モード選択ダイヤル（図示せず）が設けられ、モード選択ダイヤルの操作により、例えば、絞り優先モード、シャッタ優先モード、および再生モードなどが選択される。さらに、カメラ本体１０の上部には、アップスイッチ、ダウンスイッチ（両方とも図示せず）が設けられており、例えば、絞り優先モードにおける絞り値がアップスイッチ、ダウンスイッチの操作により選択される。
【００５６】
図１１は、２つの裏蓋Ｕ１、Ｕ２をそれぞれカメラ本体１０に装着した時の被写体像の結像面の位置を示した図である。
【００５７】
図１１に示すように、フィルム用裏蓋Ｕ１がカメラ本体１０に装着された場合には、銀塩フィルムＦが圧板１９に圧接され、撮像用裏蓋Ｕ２がカメラ本体１０に装着された場合には、ＣＣＤ４１が撮像素子収容領域に配置される。これにより、銀塩フィルムＦの露光面およびＣＣＤ４１のセンサＣ（受光面）の位置が、被写体像の結像面の位置と一致する。
【００５８】
図１２は、撮像用裏蓋Ｕ２をカメラ本体１０に装着した時に作動する主な電気的回路を示したブロック図である。ＣＣＤ４１が配設された回路基板ＣＴは、撮像用裏蓋Ｕ２がカメラ本体１０に装着されると、カメラ本体１０内の回路基板（図示せず）と接続される。
【００５９】
システムコントロール回路４０には、電源スイッチ４９、レリーズ半押スイッチ５０、レリーズ全押スイッチ５１の他に、アップスイッチ５４、ダウンスイッチ５５、選択モード検出回路５６、デジタルバック検出回路５７が接続されている。モード選択検出回路５６では、モード選択ダイヤルの操作により選択されたモードが検出される。また、デジタルバック検出回路５７では、撮像用裏蓋Ｕ２のカメラ本体１０への装着が検出される。
【００６０】
撮像用裏蓋Ｕ２がカメラ本体１０に装着された状態で撮像動作が実行されると、被写体像はＣＣＤ４１のセンサＣにおいて結像され、これに応じた画像信号が光電変換により発生する。ＣＣＤ４１は、ＣＣＤ駆動回路６０により制御され、１画面分の画像信号が、ＣＣＤ駆動回路６０により読み出される。ＣＣＤ４１から読み出された画像信号は、相関二重サンプリング回路（ＣＤＳ）６１においてリセット雑音が除去され、Ａ／Ｄ変換６２においてアナログ信号からデジタル信号に変換される。
【００６１】
デジタル化された画像信号は、信号処理回路６３に送られる。信号処理回路６３では、様々な画像処理、例えばガンマ補正や輪郭補正処理が施され、処理された画像信号はシステムコントロール回路４０を介してフィールドメモリ７０に送られる。これにより、１画面分の画像信号が一時的にフィールドメモリ７０に格納される。
【００６２】
一時的にフィールドメモリ７０に格納された画像信号は、再びシステムコントロール回路４０に送られ、圧縮処理される。圧縮された画像信号は、フラッシュメモリ７２に画像データとして格納される。なお、フィールドメモリ７０に対する画像信号の書き込みおよび読み出しの制御は、フィールドメモリコントローラ６７により行われ、また、フラッシュメモリ７２に対する画像信号の書き込みおよび読み出しの制御は、フラッシュメモリコントローラ７１により行われる。
【００６３】
モード選択ダイヤルにより再生モードが選択され、ＬＣＤ６６に記録された画像を再生する場合、格納された画像データがフラッシュメモリ７２から読み出され、システムコントロール回路４０において伸張処理され、一時的にフィールドメモリ７０に送られる。フィールドメモリ７０に一時的に格納された画像信号は、システムコントロール回路４０を介してＤ／Ａ変換器６４に送られ、デジタル信号からアナログ信号に変換される。
【００６４】
アナログ化された画像信号は、ＬＣＤ駆動回路６５において所定の処理が施され、その画像信号に基づいて電圧がＬＣＤ６６に対して印加されることでＬＣＤ６６が駆動される。そして、バックライト６９が点灯されることにより、ＬＣＤ６６に被写体像が再生表示される。バックライト６９の点灯は、バックライト駆動回路６８により制御される。
【００６５】
タイミングジェネレータ５８は、システムコントロール回路４０の制御に基づき、ＣＣＤ駆動回路６０、ＣＤＳ６１、Ａ／Ｄ変換機３３、信号処理回路６３、Ｄ／Ａ変換機６４、ＬＣＤ駆動回路６５、フィールドメモリコントローラ６７に対してサンプルパルスなどを出力し、これらの動作制御を行う。
【００６６】
図１３は、撮影動作および撮像動作の手順を示したフローチャートである。フィルム用裏蓋Ｕ１もしくは撮像用裏蓋Ｕ２がカメラ本体１０に装着されると、撮影動作もしくは撮像動作が開始される。
【００６７】
ステップ１０１では、カメラ本体１０に撮像用裏蓋Ｕ２が装着されたか否かが判定される。すなわち、撮像用裏蓋Ｕ２がカメラ本体１０に取りつけられ、閉じた状態であるか否かが判定される。
【００６８】
ステップ１０１において、撮像用裏蓋Ｕ２が装着されず、フィルム用裏蓋Ｕ１が装着されたと判断された場合、ステップ１０２に移る。ステップ１０２では、撮影動作を実行するようにシステムコントロール回路４０が設定され、ステップ１０３に移る。ステップ１０３では、レリーズスイッチが半押しされてレリーズ半押スイッチ５０がＯＮ状態であるか否かが判定される。レリーズ半押スイッチ５０がＯＮ状態であると判断されると、ステップ１０４に移る。レリーズ半押スイッチ５０がＯＮ状態ではないと判断された場合、レリーズ半押スイッチ５０がＯＮ状態になるまで繰り返しステップ１０３が実行される。
【００６９】
ステップ１０４では、被写体の明るさおよび被写体までの距離が、測距回路４６、および測光回路５７により測定される。そして、測定された明るさに基づいて絞り値およびシャッタスピードが定められ、測定された距離に基づいて自動焦点調整が実行される。測光および自動焦点調整が実行されると、ステップ１０５に移る。
【００７０】
ステップ１０５では、レリーズスイッチの半押しが解除され、レリーズ半押スイッチ５０がＯＦＦ状態であるか否かが判定される。レリーズ半押スイッチ５０がＯＦＦ状態であると判断されると、ステップ１０３に戻る。レリーズ判押スイッチ５０がＯＦＦ状態ではないと判断された場合、ステップ１０６に移る。
【００７１】
ステップ１０６では、レリーズスイッチが全押しされ、レリーズ全押スイッチ５１がＯＮ状態であるか否かが判定される。レリーズ全押スイッチ５１がＯＮ状態であると判断されると、ステップ１０７に移る。レリーズ全押スイッチ５１がＯＮ状態ではないと判断された場合、ステップ１０５に戻る。
【００７２】
ステップ１０７では、絞りＺがステップ１０４により定められた絞り値まで絞り込まれ、また、シャッタ１７がステップ１０４により定められた時間だけ開放される。このような絞りＺとシャッタ１７の駆動により、銀塩フィルムＦが露光される。このとき、銀塩フィルムＦの露光面の位置は被写体像の結像面の位置と一致しており、ピントの合った被写体像が銀塩フィルムＦに記録される。被写体像が銀塩フィルムＦに記録されると、ステップ１０８に移る。
【００７３】
ステップ１０８では、銀塩フィルムＦがフィルム巻上げ巻戻し回路４３により給送され、銀塩フィルムＦが給送されると、一連の撮影動作は終了する。
【００７４】
ステップ１０１において、撮像用裏蓋Ｕ２がカメラ本体１０に装着されたと判断されると、ステップ１０９に移る。ステップ１０９では、撮像動作が実行されるようにシステムコントロール回路４０が設定され、ステップ１１０に移る。
【００７５】
ステップ１１０〜１１４の実行は、ステップ１０３〜１０７の実行と同じである。すなわち、レリーズスイッチが半押しされると測距、測光が行われ、レリーズスイッチが全押しされるとＣＣＤ４１が露光され、これにより被写体像に応じた画像信号が得られる。このとき、ＣＣＤ４１のセンサ（受光面）Ｃの位置は、被写体像の結像面の位置と一致しており、被写体像がＣＣＤ４１のセンサＣ上において結像される。そして、ステップ１１５では、画像信号がＣＣＤ４１から読み出され、システムコントロール回路４０において圧縮される。圧縮された画像信号は、フラッシュメモリ７２に画像データとして格納される。被写体像が画像データとしてフラッシュメモリ７２に格納されると、一連の撮像動作は終了する。
【００７６】
このように本実施形態によれば、銀塩フィルムＦに被写体像を記録する場合、銀塩フィルムＦが圧板１９に圧接されることで銀塩フィルムＦの露光面の位置が規定される。これにより、銀塩フィルムＦの露光面の位置を規定するためのフィルムガイド部材をカメラ本体１０内に設ける必要がなくなり、代わりにＣＣＤ４１が収容できる撮像素子収容領域がシャッタ１７の後方に形成され、撮像時においてＣＣＤ４１のセンサＣの位置を被写体像の結像面の位置と一致させることができる。よって、銀塩フィルムＦに対する撮影動作およびＣＣＤ４１による撮像動作どちらを実行しても、合焦した被写体像が記録される。
【００７７】
従来使用されている銀塩フィルム用の一眼レフ型カメラにフィルムガイド部材を取り外して２つのスプロケットを設ける構成であるため、今まで製造された一眼レフカメラの構成、機構を大きく変更することなく、一眼レフ型の銀塩デジタルスチル両用カメラを製造することができる。
【００７８】
なお、一眼レフ型の銀塩デジタルスチル両用カメラだけでなく、コンパクト型の銀塩デジタルスチル両用カメラに対しても、本実施形態のようなフィルムガイド部材１８を設ける構成を適用してもよい。
【００７９】
【発明の効果】
以上のように本発明によれば、銀塩フィルムの露光面および撮像素子の受光面の位置と被写体像の結像面の位置を容易に一致させることができる。
【図面の簡単な説明】
【図１】フィルム用裏蓋が装着された一眼レフ型カメラの内部構成を示した図である。
【図２】フィルム用裏蓋を上から見た図である。
【図３】圧板を横から見た図である。
【図４】銀塩フィルムが装填された時のカメラの内部構成を上から見た図である。
【図５】スプロケットを示した斜視図である。
【図６】スプロケットと圧板の表面の位置関係を示した図である。
【図７】カメラの電気的回路を示したブロック図である。
【図８】撮像素子を正面から見た平面図である。
【図９】撮像素子を横から見た図である。
【図１０】撮像用裏蓋が装着された一眼レフ型カメラの内部構成を示した図である。
【図１１】被写体像の結像面の位置を示した図である。
【図１２】カメラの電気的回路を示したブロック図である。
【図１３】撮影動作および撮像動作の手順を示したフローチャートである。
【符号の説明】
１１      撮影光学系
１９      圧板
１９ｓ    圧板の表面
４１      ＣＣＤ（撮像素子）
７２      フラッシュメモリ（メモリ）
Ｃ        センサ（受光面）
Ｅ        光軸
Ｆ        銀塩フィルム
Ｓ１      スプロケット
Ｓ２      スプロケット
Ｒ        露光面の位置
Ｘ        係合部の位置
Ｙ        圧板の表面の位置
Ｕ１      フィルム用裏蓋
Ｕ２      撮像用裏蓋
【図１】
0003615962.tif 000002
【図２】
0003615962.tif 000003
【図３】
0003615962.tif 000004
【図４】
0003615962.tif 000005
【図５】
0003615962.tif 000006
【図６】
0003615962.tif 000007
【図７】
0003615962.tif 000008
【図８】
0003615962.tif 000009
【図９】
0003615962.tif 000010
【図１０】
0003615962.tif 000011
【図１１】
0003615962.tif 000012
【図１２】
0003615962.tif 000013
【図１３】
0003615962.tif 000014